(57)【要約】【課題】簡易な構成によって、光学部材の移動性能を低下させることなく、ヘリコイド部とヘリコイド受け部との間のガタに起因する光学部材の位置ずれを防止すること。【解決手段】光軸方向に延出する連動キー２０３を備えズームリングの回動に連動して回動する連動板２０４と、光軸方向に対して傾斜した方向に延出する畝を有するヘリコイド部２０１と連動キー２０３と係合するキー溝２０２とを外周面に備え連動板２０４の回転にともなって回転可能な後群レンズ枠１０７と、後群レンズ枠１０７の外周側に設けられる略円筒形状をなし、内周面にヘリコイド部２０１と係合することによってヘリコイド機構を構成するヘリコイド部を備えヘリコイド機構によって後群レンズ枠１０７を光軸方向に移動可能に支持する後部鏡筒と、を備えたレンズ装置において、連動キー２０３およびキー溝２０２が、光軸方向に対してヘリコイド部２０１とは異なる方向に傾斜していること。【選択図】図３
2009244719.tif 000002
【特許請求の範囲】
【請求項１】
光軸方向に延出する連動キーを備え、光軸を中心として回転可能な回転リングの回動に連動して回動する連動部材と、
前記光軸方向に対して傾斜した方向に延出する畝を有するヘリコイド部と前記連動キーと係合するキー溝とを外周面に備え、前記連動部材の回転にともなって前記光軸を中心として回転可能な光学部材と、
前記光学部材の外周側に設けられる略円筒形状をなし、内周面に前記ヘリコイド部と係合することによってヘリコイド機構を構成するヘリコイド受け部を備え、前記ヘリコイド機構によって前記光学部材を前記光軸方向に移動可能に支持する鏡筒と、
を備え、
前記連動キーおよび前記キー溝は、前記光軸方向に対して前記ヘリコイド部および前記ヘリコイド受け部とは異なる方向に傾斜していることを特徴とする光学装置。
【請求項２】
前記連動キーおよび前記キー溝と、前記ヘリコイド部および前記ヘリコイド受け部と、は、前記光軸方向に対して交差する方向に傾斜していることを特徴とする請求項１に記載の光学装置。
【請求項３】
前記連動キーおよび前記キー溝は、前記ヘリコイド部および前記ヘリコイド受け部よりも前記光軸に直交する方向に近い角度で傾斜していることを特徴とする請求項２に記載の光学装置。
【請求項４】
前記連動キーおよび前記キー溝は、前記ヘリコイド部および前記ヘリコイド溝に対して直交する方向に傾斜していることを特徴とする請求項１〜３のいずれか一つに記載の光学装置。
【請求項５】
前記光学部材は、レンズであることを特徴とする請求項１〜４のいずれか一つに記載の光学装置。
【請求項６】
撮像素子と、
請求項５に記載の光学装置と、
を備え、
前記撮像素子に対して、前記光学装置が備えたレンズを介して外光を入射することによって撮像することを特徴とする撮像装置。
【発明の詳細な説明】
【技術分野】
【０００１】
この発明は、ヘリコイド機構を用いて、光学部材を光軸方向に移動させる光学装置および当該光学装置を備えた撮像装置に関する。
【背景技術】
【０００２】
従来、鏡筒内に設けられたレンズ枠の外周面と鏡筒の内周面とに設けられたヘリコイド部を係合し、レンズ枠をヘリコイド部における畝に沿って変位させることによりレンズ枠を光軸方向に移動するようにしたレンズ鏡筒があった。このようなレンズ鏡筒には、レンズ枠の外周に設けられたキー溝に光軸を中心として回転可能な連動キーを係合し、連動板の回転にともなってレンズ枠を回転させるようにした技術があった。
【０００３】
このような技術では、レンズ枠の外周面と鏡筒の内周面とに設けられたヘリコイド部との間にガタが生じている場合、ヘリコイド部どうしの相対的な位置が変化し、レンズ枠の位置がずれてしまう。レンズ枠の位置は、具体的には、たとえば、レンズ枠の移動方向を鉛直方向に平行な状態でレンズ鏡筒を設置した場合にレンズ枠の自重がかかった程度でずれてしまう。レンズ枠のずれは、ヘリコイド部の方向が光軸方向に対して平行に近付くほど顕著にあらわれる。
【０００４】
この対策として、たとえばレンズ枠外周部に設ける畝の数を少なくし、レンズ枠の自重がかかった程度ではレンズ枠が移動しないようにすることが考えられるが、レンズ枠外周部に設ける畝の数を少なくすると連動キーの回転力がレンズ枠に伝達されづらくなり、ヘリコイド部どうしが摺動しづらくなって、レンズ枠の摺動性が低下してしまう。
【０００５】
また、従来、キー溝と連動キーとの間に生じたガタ（バックラッシュによるガタ感）に対する対策として、連動キーをレンズ枠と連動キーとの当接面側に付勢する付勢部材を設け、光軸に交差する方向において連動キーおよびレンズ枠を片寄せするようにした技術があった（たとえば、下記特許文献１を参照。）。
【０００６】
【特許文献１】実開平６−８７９１３号公報
【発明の開示】
【発明が解決しようとする課題】
【０００７】
しかしながら、上述した特許文献１に記載された従来の技術では、連動キーをレンズ枠と連動キーとの当接面側に付勢する付勢部材を追加しなくてはならないため、部品点数が増加し、レンズ鏡筒の製造コストが増加するという問題があった。
【０００８】
この発明は、上述した従来技術による問題点を解消するため、簡易な構成によって、光学部材の移動性能を低下させることなく、連動キーとキー溝との間のガタに起因する光学部材の位置ずれを防止することができる光学装置および撮像装置を提供することを目的とする。
【課題を解決するための手段】
【０００９】
上述した課題を解決し、目的を達成するため、この発明にかかる光学装置は、光軸方向に延出する連動キーを備え、光軸を中心として回転可能な回転リングの回動に連動して回動する連動部材と、前記光軸方向に対して傾斜した方向に延出する畝を有するヘリコイド部と前記連動キーと係合するキー溝とを外周面に備え、前記連動部材の回転にともなって前記光軸を中心として回転可能な光学部材と、前記光学部材の外周側に設けられる略円筒形状をなし、内周面に前記ヘリコイド部と係合することによってヘリコイド機構を構成するヘリコイド受け部を備え、前記ヘリコイド機構によって前記光学部材を前記光軸方向に移動可能に支持する鏡筒と、を備え、前記連動キーおよび前記キー溝は、前記光軸方向に対して前記ヘリコイド部および前記ヘリコイド受け部とは異なる方向に傾斜していることを特徴とする。
【００１０】
この発明によれば、連動キーおよびキー溝の方向が、光学部材の回転方向および光学部材の移動方向に対して傾いているため、連動キーとキー溝との間にガタが生じている場合にもキー溝における幅方向のいずれか一方の端部に連動キーを片寄せし、連動キーとキー溝との間のガタによって光学部材が光軸方向に移動することを防止することができ、光学部材の回転を連動板の回転に連動させることができる。
【００１１】
また、この発明にかかる光学装置は、上記の発明において、前記連動キーおよび前記キー溝と、前記ヘリコイド部および前記ヘリコイド受け部と、は、前記光軸方向に対して交差する方向に傾斜していることを特徴とする。この発明によれば、連動キーとキー溝との間のガタによって光学部材が光軸方向に移動することを効果的に防止することができる。
【００１２】
また、この発明にかかる光学装置は、上記の発明において、前記連動キーおよび前記キー溝が、前記ヘリコイド部および前記ヘリコイド受け部よりも前記光軸に直交する方向に近い角度で傾斜していることを特徴とする。この発明によれば、ヘリコイド機構に対して連動キーの回転力を効率よく伝達することができる。
【００１３】
また、この発明にかかる光学装置は、上記の発明において、前記連動キーおよび前記キー溝が、前記ヘリコイド部および前記ヘリコイド溝に対して直交する方向に傾斜していることを特徴とする。この発明によれば、ヘリコイド機構に対して連動キーの回転力を一層効率よく伝達することができる。
【００１４】
また、この発明にかかる光学装置は、上記の発明において、前記光学部材が、レンズであることを特徴とする。この発明によれば、部品点数を増加することなくピント調整後のレンズのずれを防止することができる。
【００１５】
また、この発明にかかる撮像装置は、撮像素子と、上記の光学装置と、を備え、前記撮像素子に対して、前記光学装置が備えたレンズを介して外光を入射することによって撮像することを特徴とする。この発明によれば、撮像装置の設置位置および使用状態にかかわらず、ピントずれのない画像を撮像することができる。
【発明の効果】
【００１６】
この発明にかかる光学装置および撮像装置によれば、部品点数の増加やヘリコイド部における摺動性の低下をともなうことなく、ヘリコイド部とヘリコイド受け部との間のガタを防止するとともに連動部材の非回転時における光学部材の移動を防止することができるという効果を奏する。これによって、簡易な構成によって、光学部材の移動性能を低下させることなく、ヘリコイド部とヘリコイド受け部との間のガタに起因する光学部材の位置ずれを防止することができる。
【発明を実施するための最良の形態】
【００１７】
以下に添付図面を参照して、この発明にかかる光学装置および撮像装置の好適な実施の形態を詳細に説明する。この実施の形態においては、この発明にかかる実施の形態の光学装置の一例として、撮像装置に取り付けられるレンズ装置への適用例を示す。
【００１８】
まず、この発明にかかる実施の形態のレンズ装置について説明する。図１は、この発明にかかる実施の形態のレンズ装置を示す説明図である。図１においては、この発明にかかる実施の形態のレンズ装置を、光軸を通る平面で切断した断面を示している。図１において、この発明にかかる実施の形態のレンズ装置１００は、略円筒形状をなす鏡筒本体１０１を備えている。
【００１９】
鏡筒本体１０１は、主鏡筒１０２と後部鏡筒１０３とから構成されている。この実施の形態においては、後部鏡筒１０３によって鏡筒が実現されている。主鏡筒１０２および後部鏡筒１０３は、ともに略円筒形状をなし、光軸方向に連結されている。主鏡筒１０２は、光軸方向において、後部鏡筒１０３よりも対物側に設けられる。
【００２０】
主鏡筒１０２の外周側には、略円筒形状をなすフォーカスリング１０４が設けられている。フォーカスリング１０４は、光軸を中心として主鏡筒１０２に対して相対的に回動可能に設けられている。主鏡筒１０２の内周側には、前群レンズ枠１０５が設けられている。前群レンズ枠１０５は、１または複数のレンズによって構成される前群レンズ１０５ａを保持している。前群レンズ枠１０５は、光軸方向において、主鏡筒１０２に対して相対的に移動可能に設けられている。
【００２１】
前群レンズ枠１０５は、たとえば前群レンズ枠１０５から外周方向に突出するピンを、主鏡筒１０２に設けられて光軸方向を長手方向とする直進溝に挿入することによって、主鏡筒１０２に取り付けられている。前群レンズ枠１０５に設けられたピンは、直進溝を貫通して、フォーカスリング１０４の内周面に設けられたカム溝に挿入されている。ここに、前群レンズ枠１０５、ピン、直進溝を備えた主鏡筒１０２、カム溝を備えたフォーカスリング１０４によってカム機構が構成されている。カム機構については、公知の各種技術を用いて容易に実現可能であるため説明を省略する。
【００２２】
カム機構によって、フォーカスリング１０４が光軸を中心として主鏡筒１０２に対して相対的に回動すると、カム溝に挿入されたピンがフォーカスリング１０４にともなって回転しようとするが、ピンは直進溝に挿入されているため光軸に交差する方向には移動せず、直進溝内を光軸方向にのみ移動する。これによって、フォーカスリング１０４を回動させることによって、前群レンズ枠１０５すなわち前群レンズ１０５ａを光軸方向に移動することができる。
【００２３】
後部鏡筒１０３の外周側には、略円筒形状をなすズームリング１０６が設けられている。ズームリング１０６は、光軸を中心として、後部鏡筒１０３に対して相対的に回動可能に設けられている。ズームリング１０６は、フォーカスリング１０４の回動とは別に、独立して回動する。後部鏡筒１０３の内周側には、後群レンズ枠１０７が設けられている。後群レンズ枠１０７は、１または複数のレンズによって構成される後群レンズ１０８を保持している。また、後群レンズ枠１０７は、光軸方向において後部鏡筒１０３に対して相対的に移動可能とされている。この実施の形態においては、後群レンズ１０８を備えた後群レンズ枠１０７によって、光学部材およびレンズが実現されている。
【００２４】
つぎに、この発明にかかる実施の形態のレンズ装置１００において後群レンズ枠１０７を光軸方向に移動可能とする構成について説明する。図２、図３、図４および図５は、この発明にかかる実施の形態のレンズ装置１００において後群レンズ枠１０７を光軸方向に移動可能とする構成を示す説明図である。
【００２５】
図２においては、後群レンズ枠１０７を斜め方向から見た状態を示している。図３においては、図２に示した後群レンズ枠１０７を矢印Ａ１方向から見た状態を示している。図４においては、図２における各部を分解して斜め方向から見た状態を示している。図５においては、図４に示した後群レンズ枠１０７を矢印Ａ２方向から見た状態を示している。
【００２６】
図２、図３、図４および図５において、後群レンズ枠１０７は、ヘリコイド部２０１とキー溝２０２とを備えている。ヘリコイド部２０１およびキー溝２０２は、後群レンズ枠１０７の外周面に設けられている。後群レンズ枠１０７の外周面に設けられたヘリコイド部２０１は、光軸方向に対して傾斜した方向に延出する複数条の畝を有している。
【００２７】
後部鏡筒１０３の内周面には、ヘリコイド部２０１と係合する複数条の溝を有するヘリコイド部が設けられている。後部鏡筒１０３の内周面に設けられたヘリコイド部については図示を省略する。この実施の形態においては、後部鏡筒１０３の内周面に設けられたヘリコイド部によってヘリコイド受け部が実現されている。
【００２８】
後群レンズ枠１０７の外周面に設けられたヘリコイド部２０１と、後部鏡筒１０３の内周面に設けられたヘリコイド部とは畝の方向に沿って摺動可能に係合している。後群レンズ枠１０７は、後群レンズ枠１０７の外周面に設けられたヘリコイド部２０１と、後部鏡筒１０３の内周面に設けられたヘリコイド部とが畝の方向に沿って摺動することによって、光軸方向において、後部鏡筒１０３に対して相対的に移動可能とされている。この実施の形態においては、後群レンズ枠１０７の外周面に設けられたヘリコイド部２０１と、後部鏡筒１０３の内周面に設けられたヘリコイド部と、によってヘリコイド機構が実現されている。
【００２９】
キー溝２０２は、光軸方向に対してヘリコイド部２０１（後部鏡筒１０３の内周面に設けられたヘリコイド部を含む）とは異なる方向に傾斜した、後群レンズ枠１０７の外周面から光軸方向に凹んだ凹形状をなしている。後群レンズ枠１０７は、キー溝２０２に係合する連動キー２０３の回動にともなって光軸を中心として回動する。連動キー２０３は、光軸方向に対してヘリコイド部２０１とは異なる方向に傾斜した方向を長手方向とする板形状をなす。
【００３０】
連動キー２０３は、リング形状部４０１によって支持されている。リング形状部４０１は、ズームリング１０６に連結される連結片２０４を支持している。この実施の形態においては、連動キー２０３、連結片２０４およびリング形状部４０１によって構成される連動板２０５によって連動部材が実現されている。
【００３１】
図６は、この発明にかかる実施の形態の連動板２０５を示す説明図である。図６において、連動板２０５における連動キー２０３、連結片２０４およびリング形状部４０１の各部は、金属の平板に対して打ち抜き加工し、曲げ加工を施すことによって一体的に形成されている。打ち抜き加工および曲げ加工は同時におこなってもよい。
【００３２】
つぎに、従来のレンズ装置１００において後群レンズ枠１０７を光軸方向に移動可能とする構成について説明する。図７、図８、図９および図１０は、従来のレンズ装置において後群レンズ枠を光軸方向に移動可能とする構成を示す説明図である。従来のレンズ装置は、レンズ装置１００と比較して、後群レンズ枠および連動板の形状が異なる。
【００３３】
図７においては、後群レンズ枠を斜め方向から見た状態を示している。図８においては、図７に示した後群レンズ枠を矢印Ｂ１方向から見た状態を示している。図９においては、図７における各部を分解して斜め方向から見た状態を示している。図１０においては、図９に示した後群レンズ枠を矢印Ｂ２方向から見た状態を示している。
【００３４】
図７、図８、図９および図１０において、従来のレンズ装置が備える後群レンズ枠７０１は、この発明の実施の形態と比較してキー溝７０２および連動キー７０３の角度が異なっている。従来のレンズ装置が備える後群レンズ枠７０１に設けられたキー溝７０２は、光軸方向に平行な方向を長手方向としている。このため、従来のレンズ装置においては、キー溝７０２に係合する連動キー７０３も、光軸に平行な方向を長手方向として設けられている。
【００３５】
図１１は、従来の連動板を示す説明図である。図１１において、従来の連動板１１０１は、連動板２０５と同様に、連動キー７０３、連結片１１０２およびリング形状部１１０３を備えている。従来の連動板１１０１は、金属の平板に対して打ち抜き加工し、曲げ加工を施すことによって一体的に形成されている。すなわち、この実施の形態の連動板２０５は、打ち抜き加工に際して用いる抜き型を変更するだけで、従来の連動板１１０１とまったく同じ方法によって形成することができる。
【００３６】
従来のレンズ装置においては、後群レンズ枠７０１の移動方向と連動キー７０３の長手方向とがともに光軸方向に平行とされていたため、ヘリコイド部２０１と後部鏡筒１０３の内周面に設けられたヘリコイド部（ヘリコイド受け部）との間のガタが生じている場合には、ガタの分だけヘリコイド部２０１とヘリコイド受け部との相対的な位置が変化する。これによって、ヘリコイド部２０１とヘリコイド受け部との相対的な位置分だけ後群レンズ枠７０１の位置がずれてしまい、後群レンズ枠７０１の移動方向を鉛直方向に平行な状態でレンズ鏡筒を設置した場合に後群レンズ枠７０１の自重がかかった程度でずれてしまう。
【００３７】
つぎに、この実施の形態のレンズ装置１００の使用状態について説明する。図１２−１および図１２−２は、この実施の形態のレンズ装置１００の使用状態の一例を示す説明図である。図１２−１においては、天井などに取り付けられた状態のレンズ装置１００を示している。図１２−２においては、図１２−１の一部を拡大した状態を示している。
【００３８】
図１２−１および図１２−２において、この実施の形態のレンズ装置１００においては、連動キー２０３およびキー溝２０２の方向が、後群レンズ枠１０７の回転方向および後群レンズ枠１０７の移動方向に対して傾いているため、光軸方向に対して連動キー２０３がテーパーをなしている。
【００３９】
レンズ装置１００が、光軸方向が鉛直方向と平行となる状態で設置された場合、後群レンズ枠１０７に対しては、後群レンズ枠１０７の自重によって後群レンズ枠１０７を光軸方向に移動させる外力が作用するが、光軸方向に対して連動キー２０３がテーパーをなしているため、連動キー２０３が後群レンズ枠１０７のストッパーとして機能する。
【００４０】
このように、この実施の形態によれば、ズームリング１０６とともに回動することによってズームリング１０６の回動力を伝達する連動キー２０３を、ズームリング１０６の非回動時にはストッパーとして機能させ、後群レンズ枠１０７の自重による後群レンズ枠１０７の不用意な移動を防止することができる。
【００４１】
また、ヘリコイド部２０１とヘリコイド部２０１に係合するヘリコイド受け部（図示を省略する）との間にガタが生じている場合、ヘリコイド部２０１は、ヘリコイド受け部における幅方向のいずれか一方の端部に片寄せされた状態となる。この状態は、レンズ装置１００の設置角度にかかわらず、たとえばレンズ枠の移動方向を鉛直方向に平行な状態でレンズ装置１００を設置した場合にも、ヘリコイド部２０１は、ヘリコイド受け部における幅方向のいずれか一方の端部に片寄せした状態とし、ヘリコイド受け部におけるヘリコイド部２０１のガタつき、すなわちヘリコイド機構を抑制することができる。
【００４２】
ヘリコイド部２０１の位置を基準とした場合、ヘリコイド受け部におけるヘリコイド部２０１のガタつきはヘリコイド部２０１に対するヘリコイド受け部の相対的な位置のばらつきと同じとなる。このため、この実施の形態のレンズ装置１００によればヘリコイド部２０１に対するヘリコイド受け部の相対的なガタつきを抑制することができる。そして、これによって光軸方向における後部鏡筒１０３に対する後群レンズ枠１０７の位置が後群レンズ１０８および後群レンズ枠１０７の自重などによって不用意に移動することを防止できる。
【００４３】
つぎに、この実施の形態のレンズ装置１００および従来のレンズ装置において、後群レンズ枠１０７の回転に際して発生する力について説明する。図１３は、この実施の形態のレンズ装置１００における後群レンズ枠１０７の回転に際して発生する力を示す説明図である。図１４は、従来のレンズ装置における後群レンズ枠７０１の回転に際して発生する力を示す説明図である。
【００４４】
図１３において、この実施の形態のレンズ装置１００では、光軸を中心として連動板２０５が矢印１３００の方向に回転すると、連動キー２０３から後群レンズ枠１０７に対して矢印１３１０の方向の力が作用する。これに対して、図１４において、従来のレンズ装置では、光軸を中心として連動板１１０１が矢印１３００の方向に回転すると、連動キー７０３から後群レンズ枠７０１に対して矢印１４１０の方向の力が作用する。
【００４５】
この実施の形態のレンズ装置１００において、連動板２０５が後群レンズ枠１０７に作用させる力の方向（矢印１３１０）は、従来のレンズ装置における連動板１１０１が後群レンズ枠７０１に作用させる力の方向（矢印１４１０）よりも、ヘリコイド部（ヘリコイド溝）の方向（矢印１３２０）に近い角度とされているため、ヘリコイド機構に対して連動キー２０３の回転力を効率よく伝達することができる。
【００４６】
これによって、後群レンズ枠１０７を移動させるための連動キー２０３の回転力の低減を図り、連動板２０５の非回転時における後群レンズ枠１０７の移動を防止しつつ、後群レンズ枠１０７を移動させる場合には少ない回転力で後群レンズ枠１０７を移動させることができる。
【００４７】
連動キー２０３およびキー溝２０２は、ヘリコイド部２０１（後部鏡筒１０３の内周面に設けられたヘリコイド部を含む）に対して直交する方向に傾斜していることが好ましい。これによって、ヘリコイド機構に対して連動キー２０３の回転力を一層効率よく伝達することができるので、後群レンズ枠１０７を移動させるための連動キー２０３の回転力の低減を図り、後群レンズ枠１０７の非回転時における後群レンズ枠１０７の移動を防止しつつ、後群レンズ枠１０７を移動させる場合には少ない回転力で後群レンズ枠１０７を移動させることができる。
【００４８】
上述したように、この発明にかかる実施の形態のレンズ装置１００によれば、光軸方向に延出する連動キー２０３を備え、光軸を中心として回転可能なズームリング１０６の回動に連動して回動する連動部材と、光軸方向に対して傾斜した方向に延出する畝を有するヘリコイド部２０１と連動キー２０３と係合するキー溝２０２とを外周面に備え、連動部材の回転にともなって光軸を中心として回転可能な光学部材の一例としての後群レンズ枠１０７と、後群レンズ枠１０７の外周側に設けられる略円筒形状をなし、内周面にヘリコイド部２０１と係合することによってヘリコイド機構を構成するヘリコイド部を備え、ヘリコイド機構によって後群レンズ枠１０７を光軸方向に移動可能に支持する後部鏡筒１０３と、を備え、連動キー２０３およびキー溝２０２は、光軸方向に対してヘリコイド部２０１とは異なる方向に傾斜していることを特徴とするため、連動キー２０３およびキー溝２０２の方向が、後群レンズ枠１０７の回転方向および後群レンズ枠１０７の移動方向に対して傾いていることから、ヘリコイド部２０１とヘリコイド受け部との間にガタが生じている場合にもヘリコイド受け部における幅方向のいずれか一方の端部にヘリコイド部２０１を片寄せし、ヘリコイド部２０１とヘリコイド受け部との間のガタによって後群レンズ枠１０７が光軸方向に移動することを防止することができ、後群レンズ枠１０７の回転を連動板２０５の回転に連動させることができる。
【００４９】
これによって、部品点数の増加やヘリコイド部２０１における摺動性の低下をともなうことなく、ヘリコイド部２０１とヘリコイド受け部との間のガタを防止するとともに連動板２０５の非回転時における後群レンズ枠１０７の移動を防止することができる。
【００５０】
また、この発明にかかる実施の形態のレンズ装置１００によれば、連動キー２０３およびキー溝２０２と、ヘリコイド部２０１とが、光軸方向に対して交差する方向に傾斜していることを特徴とするため、ヘリコイド部２０１とヘリコイド受け部との間のガタによって後群レンズ枠１０７が光軸方向に移動することを効果的に防止することができる。
【００５１】
また、この発明にかかる実施の形態のレンズ装置１００によれば、連動キー２０３およびキー溝２０２が、ヘリコイド部２０１よりも光軸に直交する方向に近い角度で傾斜していることを特徴とするため、ヘリコイド機構に対して連動キー２０３の回転力を効率よく伝達することができる。
【００５２】
これによって、後群レンズ枠１０７を移動させるための連動キー２０３の回転力の低減を図り、連動板２０５の非回転時における後群レンズ枠１０７の移動を防止しつつ、後群レンズ枠１０７を移動させる場合には少ない回転力で後群レンズ枠１０７を移動させることができる。
【００５３】
また、この発明にかかる実施の形態のレンズ装置１００によれば、連動キー２０３およびキー溝２０２が、ヘリコイド部２０１およびヘリコイド溝に対して直交する方向に傾斜していることを特徴とするため、ヘリコイド機構に対して連動キー２０３の回転力を一層効率よく伝達することができる。
【００５４】
これによって、後群レンズ枠１０７を移動させるための連動キー２０３の回転力の低減を図り、連動板２０５の非回転時における後群レンズ枠１０７の移動を防止しつつ、後群レンズ枠１０７を移動させる場合には少ない回転力で後群レンズ枠１０７を移動させることができる。
【００５５】
また、この発明にかかる実施の形態のレンズ装置１００によれば、後群レンズ枠１０７が、レンズの一例である後群レンズ１０８であることを特徴とするため、部品点数を増加することなくピント調整後の後群レンズ１０８のずれを防止することができる。これによって、部品点数を増加することなくヘリコイド部２０１とヘリコイド受け部との間のガタを防止するとともに、ヘリコイド部２０１とヘリコイド受け部との間のガタに起因するピント調整後の後群レンズ１０８のずれを防止することができる。
【００５６】
また、この発明にかかる実施の形態のレンズ装置１００を備えた撮像装置は、撮像素子に対して、上記のレンズ装置１００が備えた後群レンズ１０８を介して外光を入射することによって撮像することを特徴とするため、撮像装置の設置位置および使用状態にかかわらず、ピントずれのない画像を撮像することができる。これによって、撮像装置の使い易さの向上を図ることができる。
【００５７】
以上説明したように、この実施の形態によれば、部品点数の増加やヘリコイド機構における摺動性の低下をともなうことなく、ヘリコイド部とヘリコイド受け部との間のガタを防止するとともに連動部材の非回転時における光学部材の移動を防止することができるという効果を奏する。これによって、簡易な構成によって、光学部材の移動性能を低下させることなく、ヘリコイド部とヘリコイド受け部との間のガタに起因する光学部材の位置ずれを防止することができる。
【産業上の利用可能性】
【００５８】
以上のように、この発明にかかる光学装置および撮像装置は、ヘリコイド機構を用いて、光学部材を光軸方向に移動させる光学装置および当該光学装置を備えた撮像装置に有用であり、特に、レンズ枠の移動方向を鉛直方向に平行な状態として使用するレンズ装置および撮像装置に適している。
【図面の簡単な説明】
【００５９】
【図１】この発明にかかる実施の形態のレンズ装置を示す説明図である。
【図２】この発明にかかる実施の形態のレンズ装置において後群レンズ枠を光軸方向に移動可能とする構成を示す説明図（その１）である。
【図３】この発明にかかる実施の形態のレンズ装置において後群レンズ枠を光軸方向に移動可能とする構成を示す説明図（その２）である。
【図４】この発明にかかる実施の形態のレンズ装置において後群レンズ枠を光軸方向に移動可能とする構成を示す説明図（その３）である。
【図５】この発明にかかる実施の形態のレンズ装置において後群レンズ枠を光軸方向に移動可能とする構成を示す説明図（その４）である。
【図６】この発明にかかる実施の形態の連動板を示す説明図である。
【図７】従来のレンズ装置において後群レンズ枠を光軸方向に移動可能とする構成を示す説明図（その１）である。
【図８】従来のレンズ装置において後群レンズ枠を光軸方向に移動可能とする構成を示す説明図（その２）である。
【図９】従来のレンズ装置において後群レンズ枠を光軸方向に移動可能とする構成を示す説明図（その３）である。
【図１０】従来のレンズ装置において後群レンズ枠を光軸方向に移動可能とする構成を示す説明図（その４）である。
【図１１】従来の連動板を示す説明図である。
【図１２−１】この実施の形態のレンズ装置の使用状態の一例を示す説明図（その１）である。
【図１２−２】この実施の形態のレンズ装置の使用状態の一例を示す説明図（その２）である。
【図１３】この実施の形態のレンズ装置における後群レンズ枠の回転に際して発生する力を示す説明図である。
【図１４】従来のレンズ装置における後群レンズ枠の回転に際して発生する力を示す説明図である。
【符号の説明】
【００６０】
１００  レンズ装置
１０３  後部鏡筒
１０７  後群レンズ枠
１０８  後群レンズ
２０１  ヘリコイド部
２０２  キー溝
２０３  連動キー
２０４  連結片
２０５  連動板
４０１  リング形状部
【図１】
2009244719.tif 000003
【図２】
2009244719.tif 000004
【図３】
2009244719.tif 000005
【図４】
2009244719.tif 000006
【図５】
2009244719.tif 000007
【図６】
2009244719.tif 000008
【図７】
2009244719.tif 000009
【図８】
2009244719.tif 000010
【図９】
2009244719.tif 000011
【図１０】
2009244719.tif 000012
【図１１】
2009244719.tif 000013
【図１２−１】
2009244719.tif 000014
【図１２−２】
2009244719.tif 000015
【図１３】
2009244719.tif 000016
【図１４】
2009244719.tif 000017